(57)【要約】【課題】従来の冷蔵庫は湿度が低く、食品が乾燥し新鮮味が落ちる、冷蔵庫周囲に断熱材を使用しているので高価で冷蔵庫内を高湿度に保つことができないなどの問題があった。【解決手段】冷蔵庫の天井に設けた水槽内には冷却機からの冷媒管を張り巡らせ、冷蔵庫内にファン付き冷却ユニットを設け、ファン付き冷却ユニットの前方には蒸発皿を設け、水槽から蒸発皿まで給水管を設けることで、花、野菜、果物、穀物、魚介類を高湿度低温な環境で鮮度を維持しようとするものである。【選択図】        図８
2005037006.tif 000002
【特許請求の範囲】
【請求項１】
冷蔵庫の天井に水槽を設け、水槽内には冷却機からの冷媒管を張り巡らせ、冷蔵庫内にはファン付き冷却ユニットを設け、ファン付き冷却ユニットの前方には蒸発皿を設け、水槽から蒸発皿まで給水管を設けたことを特徴とする高湿度冷蔵庫。
【請求項２】
外周を断熱壁で囲った冷蔵庫の天井に水槽を設け、冷蔵庫には屋外冷却機を設け、水槽内には屋外冷却機からの冷媒管を張り巡らせ、冷蔵庫内には屋外冷却機と連結されたファン付き冷却ユニットを設け、ファン付き冷却ユニットの前方にはスポンジを入れた蒸発皿を設け、冷蔵庫天井の水槽から蒸発皿までフロート弁付の縦給水管を設け、冷蔵庫下面に移動用車輪を設けたことを特徴とする高湿度冷蔵庫。
【請求項３】
冷蔵庫本体（２）と、天井水槽部（３）と、ファン付き冷却ユニット（４）と、冷媒管（５）と、蒸発皿部（６）と、給水管部（７）から構成され、
冷蔵庫本体（２）は、断熱床（２Ａ）と、前後の断熱壁（２Ｂ、２Ｃ）と、左右の断熱壁（２Ｄ、２Ｅ）と、断熱天井（２Ｆ）から構成され、前の断熱壁（２Ｂ）には断熱扉（２Ｂ１）が設けられ、断熱床（２Ａ）の下面には移動用車輪（２Ａ２）が取付けられ、左の断熱壁（２Ｄ）の外側には屋外冷却機（２Ｇ）が配設され、
天井水槽部（３）は、底面（３Ａ）と側壁（３Ｂ）から構成され、冷蔵庫本体（２）の断熱天井（２Ｆ）の下面に取付けられ、この天井水槽部（３）には水（Ｗ）が所定水位（ＷＬ）をもって蓄えられ、
ファン付き冷却ユニット（４）は、天井水槽部（３）における底面（３Ａ）の下面において支持され、
冷媒管（５）は、天井水槽部（３）内に配管され、始端は屋外冷却機（２Ｇ）に連結され、終端はファン付き冷却ユニット（４）に連結され、ファン付き冷却ユニットからの還り管は屋外冷却機（２Ｇ）に連結され、冷媒が循環するよう構成され、
蒸発皿部（６）は、皿状体（６Ａ）と皿状体内のスポンジ（６Ｂ）から構成され、ファン付き冷却ユニット（４）における吹出し口（４Ａ）の前面近傍位置に支持され、
給水管部（７）は、天井水槽部（３）内の水を蒸発皿部（６）に適宜供給する縦給水管（７Ａ）で構成されていることを特徴とする高湿度冷蔵庫。
【請求項４】
請求項３記載の高湿度冷蔵庫において、給水管部（７）は、天井水槽部（３）と蒸発皿部（６）とを連結する縦給水管（７Ａ）と、縦給水管の途中に取付けられたフロート弁（７Ｂ）から構成され、皿状体（６Ａ）内の水の所定水位が下がると、フロート弁（７Ｂ）が開いて自動的に蒸発皿部（６）に給水されるよう構成されていることを特徴とする高湿度冷蔵庫。
【発明の詳細な説明】
【０００１】
【発明の属する技術分野】
本発明は、花、野菜、果物、穀物、魚介類等の鮮度を維持し保存する高湿度で移動可能な高湿度冷蔵庫に関する。
【０００２】
【従来の技術】
従来、建物内部、外部設備として移動可能な冷蔵庫はあったが、冷蔵庫の天井に蓄えた水槽の水を断熱材、冷却材、湿度材として利用した高湿度で移動可能な冷蔵庫はなかった。
【０００３】
【発明が解決しようとする課題】
従来の技術で述べたものにあっては、下記のような問題点を有していた。
従来の冷蔵庫は湿度が低く、食品が乾燥し新鮮味が落ちる。
冷蔵庫周囲に断熱材を使用しているので高価である。
冷蔵庫内を高湿度（９０％以上）に保つことができない。
【０００４】
本発明は、従来の技術の有するこのような問題点に鑑みなされたものであり、その目的とするところは、下記のことができるものを提供しようとするものである。
花、野菜、果物、穀物、魚介類等の鮮度を保つため、水を効率良く利用した高湿度で移動可能な冷蔵庫である。
【０００５】
【課題を解決するための手段】
上記目的を達成するために、本発明は下記のようになるものである。
すなわち、
請求項１記載の発明は、冷蔵庫の天井に水槽を設け、水槽内には冷却機からの冷媒管を張り巡らせ、冷蔵庫内にはファン付き冷却ユニットを設け、ファン付き冷却ユニットの前方には蒸発皿を設け、水槽から蒸発皿まで給水管を設けたことを特徴とするものである。
【０００６】
請求項２記載の発明は、外周を断熱壁で囲った冷蔵庫の天井に水槽を設け、冷蔵庫には屋外冷却機を設け、水槽内には屋外冷却機からの冷媒管を張り巡らせ、冷蔵庫内には屋外冷却機と連結されたファン付き冷却ユニットを設け、ファン付き冷却ユニットの前方にはスポンジを入れた蒸発皿を設け、冷蔵庫天井の水槽から蒸発皿までフロート弁付の縦給水管を設け、冷蔵庫下面に移動用車輪を設けたことを特徴とするものである。
【０００７】
請求項３記載の発明は、冷蔵庫本体２と、天井水槽部３と、ファン付き冷却ユニット４と、冷媒管５と、蒸発皿部６と、給水管部７から構成され、
Ａ．冷蔵庫本体２は、断熱床２Ａと、前後の断熱壁２Ｂ、２Ｃと、左右の断熱壁２Ｄ、２Ｅと、断熱天井２Ｆから構成され、前の断熱壁２Ｂには断熱扉２Ｂ１が設けられ、断熱床２Ａの下面には移動用車輪２Ａ２が取付けられ、左の断熱壁２Ｄの外側には屋外冷却機２Ｇが配設され、
Ｂ．天井水槽部３は、底面３Ａと側壁３Ｂから構成され、冷蔵庫本体２の断熱天井２Ｆの下面に取付けられ、この天井水槽部３には水Ｗが所定水位ＷＬをもって蓄えられ、
Ｃ．ファン付き冷却ユニット４は、天井水槽部３における底面３Ａの下面において支持され、
Ｄ．冷媒管５は、天井水槽部３内に配管され、始端は屋外冷却機２Ｇに連結され、終端はファン付き冷却ユニット４に連結され、ファン付き冷却ユニットからの還り管は屋外冷却機２Ｇに連結され、冷媒が循環するよう構成され、
Ｅ．蒸発皿部６は、皿状体６Ａと皿状体内のスポンジ６Ｂから構成され、ファン付き冷却ユニット４における吹出し口４Ａの前面近傍位置に支持され、
Ｆ．給水管部７は、天井水槽部３内の水を蒸発皿部６に適宜供給する縦給水管７Ａで構成されていることを特徴とするものである。
【０００８】
請求項４記載の発明は、請求項３記載の発明において、給水管部７は、天井水槽部３と蒸発皿部６とを連結する縦給水管７Ａと、縦給水管の途中に取付けられたフロート弁７Ｂから構成され、皿状体６Ａ内の水の所定水位が下がると、フロート弁７Ｂが開いて自動的に蒸発皿部６に給水されるよう構成されていることを特徴とするものである。
【０００９】
【発明の実施の形態】
以下、本発明の実施の形態を実施例にもとづき図面を参照して説明する。
１は本発明の高湿度冷蔵庫で、冷蔵庫本体２と、天井水槽部３と、ファン付き冷却ユニット４と、冷媒管５と、蒸発皿部６と、給水管部７から構成されている。
Ａ．冷蔵庫本体２は、平面方形の断熱床２Ａと、断熱床の前後辺に連設された前後の断熱壁２Ｂ、２Ｃと、断熱床の左右辺に連設された左右の断熱壁２Ｄ、２Ｅと、これらの上面に連設された断熱天井２Ｆから構成され、前の断熱壁２Ｂには断熱扉２Ｂ１が設けられ、断熱天井２Ｆには点検口２Ｆ１が設けられ、断熱床２Ａの中央部には水抜栓２Ａ１が設けられていると共に、下面には移動用車輪２Ａ２が取付けられている。
そして、左の断熱壁２Ｄの外側に屋外冷却機２Ｇが配設されている。
図中、ｈｉは断熱材、２Ｈは室内温度計、２Ｉは配電盤である。
【００１０】
Ｂ．天井水槽部３は、平面方形の底面３Ａと底面の周囲に上方に向け連設された側壁３Ｂから構成され、冷蔵庫本体２の断熱天井２Ｆの下面に水平状態で取付けられている。
側壁３Ｂには給水弁３Ｂ１と排水弁３Ｂ２が設けられている。
この天井水槽部３には水Ｗが所定水位ＷＬをもって蓄えられている。
Ｃ．ファン付き冷却ユニット４は、公知のものであるが、当該ファン付き冷却ユニットの吹出し口４Ａを冷蔵庫本体２における右の断熱壁２Ｅに向けた状態で、天井水槽部３における底面３Ａの左方近傍位置において吊り金具４Ｂをもって支持されている。
Ｄ．冷媒管５は、天井水槽部３内に水平状態で蛇行状に配管され、始端５Ａは屋外冷却機２Ｇに連結され、終端５Ｂはファン付き冷却ユニット４に連結され、ファン付き冷却ユニットからの還り管５Ｃは屋外冷却機２Ｇに連結され、冷媒が循環するよう構成されている。
Ｅ．蒸発皿部６は、皿状体６Ａと皿状体内に載置されたスポンジ６Ｂから構成され、ファン付き冷却ユニット４における吹出し口４Ａの前面近傍位置において吊り金具６Ｃをもって支持されている。
Ｆ．給水管部７は、天井水槽部３と蒸発皿部６とを連結する縦給水管７Ａと、縦給水管の途中に取付けられた公知のフロート弁７Ｂから構成されている。
この場合、皿状体６Ａ内の水の所定水位が下がると、フロート弁７Ｂが開いて自動的に蒸発皿部６に給水される。
【００１１】
作用を説明する。
Ａ．外部より給水弁３Ｂ１を経由した水を、天井水槽部３に所定水位ＷＬまで注水する。
Ｂ．冷媒管５で送られた冷媒はファン付き冷却ユニット４により熱交換され、冷風ＣＷが冷蔵庫内に送られる。
Ｃ．ファン付き冷却ユニット４から吐出した冷風ＣＷは、蒸発皿部６のスポンジ６Ｂの上面を通過することにより高湿度冷風が得られ、冷蔵庫内部の湿度を高めることができる。
この場合、スポンジに水を浸透させることにより蒸発効率が向上する。
Ｄ．屋外冷却機２Ｇから冷媒管５が天井水槽部３内の水中に配管されているため、当該水Ｗが冷却されるので、この結果、天井水槽部から冷蔵庫全体が冷却される。
Ｅ．天井水槽部３に蓄えられた水Ｗにより冷蔵庫の天井部分の断熱効果を飛躍的に向上させることができる。
すなわち、冷蔵庫本体の天井部分に天井水槽部を設け、その中の水を天井部分の断熱材として使用することになる。
Ｆ．移動用車輪２Ａ２により所望する場所に移動することができる。
【００１２】
【発明の効果】
本発明は、上述の通り構成されているので次に記載する効果を奏する。
本発明の高湿度冷蔵庫は、花、野菜、果物、穀物、魚介類等を高湿度低温な環境の中で鮮度を維持することができる。
このため、各イベントの食品移動販売・花屋、農家、酪農家、漁業関係者の食品出荷前の一時保管・緊急災害時における救援物資、食品、医薬品等の保管庫、冷蔵庫として容易に使用できる。
また、断熱、冷却、湿度等の効果を上げるために、水を利用しているので経済的である。
【図面の簡単な説明】
【図１】高湿度冷蔵庫の正面図である。
【図２】平面図である。
【図３】左側面図である。
【図４】右側面図である。
【図５】Ａ−Ａ線拡大断面図である。
【図６】Ｂ−Ｂ線拡大断面図である。
【図７】冷媒管の配管状態を説明する斜視図である。
【図８】作用を説明する断面図である。
【符号の説明】
１  高湿度冷蔵庫
２  冷蔵庫本体
３  天井水槽部
４  ファン付き冷却ユニット
５  冷媒管
６  蒸発皿部
７  給水管部
ＣＷ  冷風
【図１】
2005037006.tif 000003
【図２】
2005037006.tif 000004
【図３】
2005037006.tif 000005
【図４】
2005037006.tif 000006
【図５】
2005037006.tif 000007
【図６】
2005037006.tif 000008
【図７】
2005037006.tif 000009
【図８】
2005037006.tif 000010